(57)【特許請求の範囲】
【請求項１】
電気プラグインコネクタ（１）のための電気プラグエレメント（２）であって、少なくとも１つの電気コンダクタ（２００）を受容するように適合されたコンダクタ収容部（４）と、フィットした位置（Ｒ）において前記コンダクタ収容部（４）および／または前記コンダクタ（２００）を少なくとも部分的に覆うキャップ（１０）とを含み、前記キャップ（１０）は、開口（１３）を有するフィッティング部位（１１）と、コンダクタガイド部（１２）とを含み、前記キャップ（１０）は、フィッティング方向（Ｉ）において、前記開口（１３）を通して、前記コンダクタ収容部（４）とフィットし、そのフィットした位置（Ｒ）では、前記キャップ（１０）が、オーバーラップゾーン（１５）において、前記コンダクタ収容部（４）と重なり、前記開口（１３）の内側の周囲（１６）に沿って位置するリム（１６ａ）およびノッチ（１６ｂ）が、それぞれ前記コンダクタ収容部（４）の外側の周囲（１７）に沿って位置するノッチ（１７ｂ）およびリム（１７ａ）と係合することを特徴とし、さらにブロッキング位置（Ｂ）において前記キャップ（１０）をそのフィットした位置（Ｒ）でブロックして前記キャップ（１０）の前記フィッティング方向（Ｉ）に対して垂直な方向の運動を抑制するブロッキング部材（２０）を備えることを特徴とする電気プラグエレメント（２）。
【請求項２】
前記プラグエレメント（２）が前記電気プラグインコネクタ（１）の嵌合プラグエレメント（３）と完全に嵌合している完全嵌合状態（Ｎ）において、前記ブロッキング部材（２０）が、前記プラグエレメント（２）をロックするために、前記プラグエレメント（２）のロッキングデバイス（３０）に接続されていることを特徴とする請求項１に記載の電気プラグエレメント（２）。
【請求項３】
前記ロッキングデバイス（３０）が予備ロッキング位置（Ｋ）にある予備ブロッキング位置（Ａ）から、前記ロッキングデバイス（３０）がロッキング位置（Ｌ）にある前記ブロッキング位置（Ｂ）まで、前記ブロッキング部材（２０）が移動可能であることを特徴とする請求項２に記載の電気プラグエレメント（２）。
【請求項４】
前記ブロッキング部材（２０）および／または前記ロッキングデバイス（３０）を動かして差し込み力（Ｆｐ）を発生させるために、前記プラグインコネクタ（１）の予備嵌合状態（Ｍ’）において、前記ロッキングデバイス（３０）を前記プラグエレメント（２）および前記嵌合プラグエレメント（３）の両方と係合するように適合させることを特徴とする請求項２または３に記載の電気プラグエレメント（２）。
【請求項５】
前記プラグエレメント（２）が、前記プラグエレメント（２）のプラグイン方向（Ｐ）に対して本質的に垂直方向に前記ロッキングデバイス（３０）をスライドさせてガイドするために、前記ロッキングデバイス（３０）のためのガイダンス（３３）を備えることを特徴とする請求項２〜４のいずれか１項に記載の電気プラグエレメント（２）。
【請求項６】
前記ブロッキング部材（２０）が前記プラグエレメント（２）に対して回転可能に取り付けられていることを特徴とする請求項１〜５のいずれか１項に記載の電気プラグエレメント（２）。
【請求項７】
前記ブロッキング部材（２０）がスロット付リンク（３１）を介して前記プラグエレメント（２）に取り付けられていることを特徴とする請求項１〜６のいずれか１項に記載の電気プラグエレメント（２）。
【請求項８】
前記ブロッキング部材（２０）が前記プラグインコネクタ（１）を閉めるための作動レバーを成すことを特徴とする請求項１〜７のいずれか１項に記載の電気プラグエレメント（２）。
【請求項９】
前記ブロッキング部材（２０）が、前記ブロッキング部材（２０）の外側に突出する爪（２４）を備え、前記爪（２４）が、前記ブロッキング位置（Ｂ）において、前記プラグエレメント（２）の前記コンダクタ収容部（４）の開口（２５）と係合するように適合されていることを特徴とする請求項１〜８のいずれか１項に記載の電気プラグエレメント（２）。
【請求項１０】
前記ブロッキング位置（Ｂ）において前記キャップ（１０）を少なくとも部分的に覆うカバー（２１）として前記ブロッキング部材（２０）が形成されていることを特徴とする請求項１〜９のいずれか１項に記載の電気プラグエレメント（２）。
【請求項１１】
前記キャップ（１０）が前記コンダクタ収容部（４）よりも高い弾力性を有することを特徴とする請求項１〜１０のいずれか１項に記載の電気プラグエレメント（２）。
【請求項１２】
前記キャップ（１０）がフィッティング部位（１１）とコンダクタガイド部（１２）とを有し、前記フィッティング部位（１１）および前記コンダクタガイド部（１２）が互いに角度を成していることを特徴とする請求項１〜１１のいずれか１項に記載の電気プラグエレメント（２）。
【発明の詳細な説明】
【技術分野】
【０００１】
本発明は、電気プラグインコネクタのための電気プラグエレメント（又は電気プラグ要素）に関し、特に車のドア用のスルーホールコネクタとして、自動車用途の電気プラグエレメントに関し、これは、少なくとも１つの電気コンダクタを受容する（又はテイクアップする）ように適合されたコンダクタ収容部と、フィットした位置（又は嵌合した位置）において上記コンダクタ収容部および／または上記コンダクタを少なくとも部分的に覆うキャップとを含む。
【背景技術】
【０００２】
上記に記載されたタイプのプラグエレメントは先行技術から知られている。このプラグエレメントは、自動車ボディまたはドアシートの孔（又はホール）を貫通する嵌合プラグエレメントに接続される。それ故、このプラグエレメントは、水分および埃（又は土もしくはダート）などの有害な環境条件にさらされ得る隙間（又はギャップ）に置かれるので、上記コンダクタが上記プラグエレメントに挿入される上記コンダクタ収容部および上記コンダクタ自体は密封（又はシール）されなければならない。さらに、かかるプラグエレメントおよびコンダクタの機械的な保護が望まれる。このプラグエレメントおよびコンダクタの密封および保護にはキャップが利用される。
【発明の概要】
【発明が解決しようとする課題】
【０００３】
さらに、とりわけ、車のドアは頻繁に動かされるので、上記キャップならびに上記コンダクタを含む上記プラグエレメントは、機械的な応力（又はストレス）を受け得る。この機械的な応力によって、コンダクタ、キャップおよび／またはコンダクタ収容部が断裂する傾向にあり得る。それ故、コンダクタ、キャップおよび／またはコンダクタ収容部の間の接続は、時間が経つにつれて弱くなるか、あるいは断絶さえしやすくなる。しかし、上記キャップがそのフィットした位置（又は嵌合した位置）から移動すると、すなわち上記キャップが上記プラグエレメントから少なくとも部分的に脱離すると、上述の水分や埃が上記プラグエレメントに進入し得、それにより腐食が引き起こされ得、そして回路がショートし得る。
【０００４】
上記に記載の先行技術の問題に鑑みると、本発明の解決しようとする目的は、上記のフィットした位置においてキャップが確実に固定されるプラグエレメントを提供することにある。
【課題を解決するための手段】
【０００５】
この目的は、ブロッキング位置（又はブロッキングポジション）において、上記キャップをそのフィットした位置（又は嵌合した位置）においてブロックするブロッキング部材を備える本発明によって達成される。
【０００６】
この解決手段は、上記キャップが上記プラグエレメントにおいて除去されないように抑制され得、それによって、上記コンダクタ収容部および／または上記コンダクタを保護および密封するのに容易に位置決めされ得ることを提供する。
【０００７】
本発明の解決手段は、望み通りに組み合わせることができ、そして、それ自体が各場合において有利である以下のさらなる実施形態によって更に改良することができる。
【０００８】
第１の可能なさらなる実施形態によると、上記キャップは、フィッティング方向において、上記コンダクタ収容部にフィット（又は嵌合）することができ、そのフィットした位置は、オーバーラップゾーンにおいて、上記フィッティング方向に対する（又は対向する）突起部で上記コンダクタ収容部と重なっていてもよく、上記ブロッキング位置においては、上記ブロッキング部材によって、上記フィッティング方向に対して垂直方向の上記キャップの運動が抑制され得る。それによって、上記キャップは、上記フィットした位置において容易にブロックすることができ、そうすることで、前記キャップが、上記フィッティング方向に対して、上記コンダクタ収容部から引き離され得ないようになる。換言すると、上記キャップおよび／または上記コンダクタ収容部は、相互に作用するラグ、上記のフィットした位置において相互作用し得る凸部および／または凹部を備えていてもよく、そうすることで、上記フィッティング方向でそれらが重なるようになるか、および／または上記フィッティング方向に対してそれらが重なるようになる。上記いずれかのオーバーラッピングエレメント（又はオーバーラッピング要素）の移動を上記ブロッキング部材の助けを借りてブロック（又はブロッキングもしくは防止）することによって、上記キャップおよび上記コンダクタ収容部の解放を抑制することができる。
【０００９】
上記キャップを上記プラグエレメントに容易に取り付けるために、上記キャップおよび上記コンダクタ収容部がそのフィットした位置において互いに係合すること（又はラッチ）が提供され得る。係合することによって、上記キャップと上記コンダクタ収容部とが上記のように重なる（又は重複もしくはオーバーラップする）。上記の重複は、上記オーバーラップゾーンが上記コンダクタ収容部の外側の周囲（又は外周部）に沿って延在し（または広がり、もしくは延び）、および／またはキャップの開口の内側の周囲（又は内周部）に沿って延在する（又は広がる、もしくは延びる）ことで、さらに改良されてもよい。それによって、上記キャップは、上記コンダクタ収容部を密接に包含することができる（またその逆も同様である）。
【００１０】
本発明のさらに可能な実施形態によると、上記プラグエレメントが上記電気プラグインコネクタの嵌合プラグエレメントと完全に嵌合している完全嵌合状態において、上記ブロッキング部材は、上記プラグエレメントをロックするために、上記プラグエレメントのロッキングデバイスに接続され得る。それによって、上記ブロッキング部材および上記ロッキングデバイスの作動（又はアクチュエーション）が組み合わされていてもよく（これは、しばしば、コネクタ・ポジショニング・アシュアランス（ＣＰＡ）とも呼ばれる）、それにより、上記プラグインコネクタの取り扱い（又はハンドリング）を容易にする。さらに、上記ロッキングデバイスに上記ブロッキング部材を接続することによって、上記ブロッキング部材および／または上記ロッキングデバイスは、上記プラグエレメントに脱着不可能に接続されていてもよく、それによって、これらは、それほど容易には脱離し得ず、そして、上記ブロッキング部材と、上記ロッキングデバイスと、上記プラグエレメントとの一致（又はマッチング）が保証される。
【００１１】
上記プラグエレメントの上記の取り扱いを促進するために、上記ロッキングデバイスが予備ロッキング位置（又は予備ロッキングポジション）にある予備ブロッキング位置（又は予備ブロッキングポジション）から、上記ロッキングデバイスがロッキング位置（又はロッキングポジション）にある上記ブロッキング位置までを上記ブロッキング部材が移動可能であり得ることによって、上記ブロッキング部材および上記ロッキングデバイスの機能性がさらに組み合わされてもよい。それにより、一方では、上記ブロッキング位置に至ることで、上記プラグインコネクタの適切な嵌合を目立たせる上記ロッキング位置が達成されることが保証される。他方、何らかの理由で上記ブロッキング位置が達成され得ない場合には、上記プラグインコネクタはロックされ得ず、これは、上記プラグインコネクタの嵌合の未完および／または失敗を防止して目立たせるのに役立つ。
【００１２】
本発明の別のさらなる実施形態によると、上記ブロッキング部材および／または上記ロッキングデバイスを動かして差し込み力（又はプラグフォース）を発生させるために、上記ロッキングデバイスは、上記プラグインコネクタの予備嵌合状態において、上記プラグエレメントおよび上記嵌合プラグエレメントの両方と係合するように適合させてもよい。それによって、上記プラグインコネクタを嵌合させるときの挿入力を克服する（又は打ち勝つ）ために、上記ブロッキング部材および／または上記ロッキングデバイスを動かすためにあらゆる力（又はフォース）を使用してもよい（すなわち変換してもよい）。
【００１３】
上記ブロッキング部材および／または上記ロッキングデバイスを動かすための力は、その挿入力を克服するための差し込み力に変換されてもよく、ここで、上記プラグエレメントは、上記プラグエレメントのプラグイン方向に対して本質的に垂直方向に上記ロッキングデバイスをスライドさせてガイド（又は誘導）するためのガイダンスを備えてもよい。このスライド運動によって、上記ロッキングデバイスにおいて形成され、かつ上記プラグイン方向に関してスラントまたは傾斜した様式で広がる少なくとも１つのさらなるガイダンスを使用して、上記の嵌合プラグエレメントにおいて形成されたエレメントと係合してもよく、そうすることで、上記ロッキングデバイスが上記プラグイン方向に対して垂直方向にスライドするときに、これらのエレメントが上記プラグエレメントに対して引っ張られ得るようになる。
【００１４】
さらに可能な実施形態によると、上記ブロッキング部材は、上記プラグエレメントに回転可能に取り付けられてもよい。それによって、上記ブロッキング部材は、上記の予備ブロッキング位置から上記ブロッキング位置へと容易に移動させることができ、上記プラグエレメントに脱着不可能に接続され得る。さらに、上記ロッキング部材を回転させことによって、上記プラグエレメントに任意の差し込み力を発揮させることを促進させてもよい。なぜなら、上記ブロッキング部材は、予め決められた作動様式に従って移動するからである。
【００１５】
さらに、上記ブロッキング部材は、スロット付リンクを介して、上記プラグエレメントに取り付けられてもよい。上記スロット付リンクは、上記ロッキングデバイスにて形成されてもよい。特に、上記ブロッキング部材が、上記スロット付リンクを介して上記ロッキングデバイスに接続されると同時に、上記コンダクタ収容部に回転可能に取り付けられる場合、上記ブロッキング部材と上記ロッキングデバイスとの相互作用は、上記のように、容易に達成される。それ故、上記ブロッキング部材は、上記プラグインコネクタを閉めるための作動レバー（又はレベル）を成してもよい。
【００１６】
上記ブロッキング部材をそのフィットした位置で固定するため、および／またはそのフィットした位置への到着を目立たせるために、上記ブロッキング部材が、上記ブロッキング位置において上記プラグエレメントのカウンター係合エレメント（又はカウンターラッチングエレメントもしくは要素）と係合するように適合され得る係合エレメント（又はラッチングエレメントもしくは要素）を有することが提供されてもよい。それと同時に、上記ロッキングデバイスは、上記ロッキング位置において上記プラグエレメントの上記カウンター係合エレメントと係合し得る係合エレメントを備えていてもよい。それにより、上記ロッキング位置における上記ロッキングデバイスの固定を可能とすることができる。
【００１７】
本発明の別のさらなる実施形態によると、上記ブロッキング部材は、上記ブロッキング位置において、上記キャップを少なくとも部分的に覆うカバーとして形成されることが提供されてもよい。それにより、上記キャップは、特に機械的な衝撃からシールドされ得る。これは、上記キャップが上記コンダクタ収容部よりも高い弾性力を有することが提供される場合に望ましいものであり得る。そのより高い弾性力によると、上記キャップは、上記コンダクタ収容部および／または上記コンダクタを密閉してそれと同時に上記コンダクタの上記コンダクタ収容部に対する運動を許容するために上記コンダクタ収容部および／または上記コンダクタと密接にフィット（又は嵌合）し得る。
【００１８】
本発明のさらなる可能な実施形態によると、上記キャップは、フィッティング部位とコンダクタガイド部とを有し、上記フィッティング部位および上記コンダクタガイド部は、互いに対して角度を成す（又は曲げられている）ことが提供され得る。それによって、上記コンダクタは、上記プラグエレメントから特定の角度でガイドされ得る。これは、上記プラグエレメントおよび上記コンダクタの全体の寸法（又は大きさ）を小さく維持するように、すなわち、好ましくは上記のプラグイン方向に平坦（又はフラット）に維持するのに役立ち、これは、とりわけ、上述の車のドアの隙間などの狭い空間で上記プラグインコネクタを使用する場合に有利である。
【００１９】
本発明は、以下の例示によって、有利な実施形態を示す添付の図面を参照しながら、より詳細に説明される。説明される実施形態は、可能な形態（又はコンフィギュレーション）のみであるが、かかる形態において、個々の特徴は、上記のように互いに独立して実施され得るか、あるいは省略され得る。図面にて示される対応する構成要素（又はエレメント）には、同一の符号を付す。異なる図面において、同一のエレメントに関連する説明の一部は、省略する。
【図面の簡単な説明】
【００２０】
【図１】図１は、合体位置の準備ができた本発明のプラグインコネクタの概略斜視図である。
【図２】図２は、キャップのコンダクタ収容部へのフィッティング（又は嵌合）の準備ができた本発明のプラグエレメントの概略斜視図である。
【図３】図３は、キャップの半分をコンダクタ収容部にフィット（又は嵌合）させた図２に示すプラグエレメントの概略斜視図である。
【図４】図４は、図３に示すプラグエレメントの図６に示す切断線Ｄ−Ｄに沿う概略断面図である。
【図５】図５は、図２〜４に示すプラグエレメントの図６に示す切断線Ｄ−Ｄに沿う概略断面図であり、キャップはフィットした位置にある。
【図６】図６は、図５に示すプラグエレメントの図５に示す切断線Ｃ−Ｃに沿う概略断面図である。
【図７】図７は、予備嵌合状態の図１に示すプラグインコネクタの概略斜視図である。
【図８】図８は、図７に示す予備嵌合状態のプラグインコネクタの図６に示す切断線Ｅ−Ｅに沿う概略断面図である。
【図９】図９は、予備嵌合状態の図１、７および８に示すプラグインコネクタの概略斜視図である。
【図１０】図１０は、完全嵌合状態の図１および７〜９に示すプラグインコネクタの概略斜視図である。
【図１１】図１１は、図１および７〜１０に示すプラグインコネクタの図６に示す切断線Ｅ−Ｅに沿う概略断面図である。
【図１２ａ】図１２ａは、完全嵌合状態の図１および７〜１１に示すプラグインコネクタの図５に示す切断線Ｃ−Ｃに沿う概略断面図である。
【図１２ｂ】図１２ｂは、図１２ａに示すＶＩの詳細である。
【図１３ａ】図１３ａは、完全嵌合状態の本発明のプラグインコネクタの図６に示す切断線Ｄ−Ｄに沿う概略断面図である。
【図１３ｂ】図１３ｂは、図１３ａに示すＶＩＩの詳細の概略図である。
【図１４ａ】図１４ａは、完全嵌合状態の本発明のプラグインコネクタの概略斜視図であり、後ろ方向（リア）のブロッキングゾーンの領域の部分断面を示す。
【図１４ｂ】図１４ｂは、図１４ａに示すＶＩＩＩの詳細である。
【発明を実施するための形態】
【００２１】
図１に示すように、本発明の実施形態のプラグインコネクタ１は、プラグエレメント２および嵌合プラグエレメント３を含んでいてもよく、それぞれ、本発明の実施形態に従う。プラグエレメント２は、コンダクタ収容部４を含み、これは、少なくとも１つの電気コンダクタ（図示せず）を収容するように適合される。類似して、嵌合プラグエレメント３は、嵌合コンダクタ収容部５を含み、これは、少なくとも１つの嵌合電気コンダクタ（図示せず）を収容するために適合される。
【００２２】
プラグエレメント２は、プラグ部位６を含み、これは、嵌合プラグエレメント３の嵌合プラグ部位７が没入するように適合される。従って、プラグ部位６はプラグ８として形成され、嵌合プラグ部位７はプラグ８のレセプタクル９を提供する。レセプタクル９はプラグ方向（又は差し込み方向）Ｐに向けて開口する。プラグ方向Ｐは、プラグインコネクタ１の高さ方向Ｚに対して平行して延びる。さらに、プラグインコネクタ１は、長さ方向Ｘおよび幅方向Ｙに沿って延び、互いに対して垂直方向に延在し、ならびに高さ方向Ｚに対して垂直方向に広がる（又は延在する）。
【００２３】
さらに、図１は壁部１００を示し、これは、車のボディまたはドアの一部を成す金属シート材料の一片（又は一部もしくはピース）であってもよい。壁部１００は、スルーホール１０１を提供し、その内側の輪郭（又はコンタ（contour））は、嵌合プラグエレメント３の外側の輪郭に適合される。嵌合プラグ部位７は、プラグ方向Ｐに平行かつ反対方向の嵌合プラグ方向Ｐ’でスルーホール１０１を通して押圧される。
【００２４】
図２は、プラグエレメント２を概略斜視図で示す。プラグエレメント２は、キャップ１０を含むか、またはキャップ１０を備え、これは、その中に配置されたコンダクタ収容部４および任意のコンダクタ２００を被覆して保護する。ここで、コンダクタは、電気端子（図示せず）およびそれに取り付けられる電気ラインを含んでいてもよい。コンダクタ２００は、コンダクタ収容部４に形成されたコンダクタレセプタクル４ａ内に保持され、高さ方向Ｚに本質的に平行に伸びる（又は延びる）。キャップ１０は、フィッティング部位１１と、コンダクタガイド部１２とを含む。フィッティング部位１１は、開口１３を備え、開口１３は、高さ方向Ｚに平行するフィッティング方向Ｉにおいて、コンダクタ収容部４に形成されたキャップ保持部１４とフィット（又は嵌合）することができる。
【００２５】
さらに、プラグエレメント２は、ブロッキング部材２０を含み、これは、キャップ１０にカバー２１を提供する。ブロッキング部材２０は、レバー２２と、プラグインコネクタ１のロッキングデバイス３０と係合するスタッド２３とを介して、プラグエレメント２に回転可能に結合される。スタッド２３は、ロッキングデバイス３０に形成され、かつ高さ方向Ｚに平行するスロット付リンク３１によってガイド（又は誘導）される。ブロッキング部材２０は、プラグエレメント２に形成されたカウンター係合エレメント２５と係合するように適合された係合エレメント２４を備える。係合エレメント２４は、ラグ（lug）（又は突起）またはデテント（detent）（又はつめ）として形成され、このカウンター係合エレメント２５は、開口または凹部として形成される。ロッキングデバイス３０は、ガイドレール３２を更に備え、ガイドレール３２は、それぞれ、プラグエレメント２に形成されたガイダンス３３において、スライド可能にガイド（又は誘導）され、そうすることで、ロッキングデバイス３０は、長さ方向Ｘに対して平行し、かつプラグ方向Ｐに対して垂直方向のロッキング方向Ｊおよびその反対方向にスライドし得るようになる。
【００２６】
図３は、プラグエレメント２を別の概略斜視図で示す。キャップ１０は、半分がフィット（又は嵌合）した位置Ｑにあり、ここで、キャップ１０は、キャップ保持部１４に部分的にフィット（又は嵌合）している。キャップ１０をキャップ保持部１４に嵌合させるための発明的な方法によると、ブロッキング部材２０に隣接する開口１３の側部がキャップ保持部１４に配置され、次いで、引張力Ｆａによって引っ張られ、その後、押圧力Ｆｂで押される。引張力Ｆａおよび押圧力Ｆｂが合わされ、キャップ１０をコンダクタ収容部４にフィットさせるためのフィッティング運動Ｆとなる。
【００２７】
図４は、キャップ１０が半分フィットした位置Ｑにあるプラグエレメント２の図６に示す切断線Ｄ−Ｄに沿う概略断面図である。半分フィットした位置Ｑにおいて、オーバーラップゾーン１５では、開口１３の内側の周囲または輪郭（又はコンタ）１６が、キャップ保持部１４の外側の周囲または輪郭（又はコンタ）１７と重複する。内側の輪郭１６は、内側のリム１６ａおよび内側のノッチ１６ｂによって形成される。外側の輪郭１７は、外側のリム１７ａおよび外側のノッチ１７ｂによって形成される。外側のリム１７ａは、フィッティング方向Ｉに対して傾斜面１７ｃを備え、キャップ１０のコンダクタ収容部４へのフィッティングを容易にする。
【００２８】
さらに、図４では、レバー２２に形成されるピン２６ａが、プラグエレメント２に形成されるソケット２６ｂと係合することが明らかとなっていて、そうすることで、ピン２６ａおよびソケット２６ｂがともにピボットジョイント２６を形成し、その周囲でブロッキング部材２０が回転可能となっていてよい。
【００２９】
図５は、フィットした位置Ｒにおいてキャップ１０を備えるプラグエレメント２を示す。このフィットした位置Ｒにおいて、キャップ１０に形成される内側のリム１６ａは、キャップ保持部１４に形成される外側のノッチ１７ｂに配置される。キャップ保持部１４の外側のリム１７ａは、キャップ１０に形成される内側のノッチ１６ｂに位置する。従って、この内側の輪郭１６は、外側の輪郭１７とフィッティング方向Ｉに沿う突出部において重なる。詳細には、内側のリム１６ａは、外側のリム１７ａの下側に位置し、すなわちフィッティング方向Ｉにおいて、外側のリム１７ａの後方に位置する。外側のリム１７ａは、内側のノッチ１６ｂの領域において、内側の輪郭１６と交互に配置される。換言すると、内側の輪郭１６は、外側のリム１７ａの上側に部分的に配置され、すなわちフィッティング方向Ｉにおいて、外側のリム１７ａの前方に部分的に配置される。
【００３０】
さらに、図５は、フィッティング部位１１の開口１３を通過して伸びる長手方向の軸Ｌ１１は、高さ方向Ｚならびに挿入方向Ｉに本質的に平行であるので、長さ方向Ｘに本質的に平行であるコンダクタガイド部１２の長手方向の軸Ｌ１２に対して垂直方向であることを示す。それ故、フィッティング部位１１は、コンダクタガイド部１２に対して、角度が設けられる。
【００３１】
図６は、キャップ１０がフィットした位置にあるプラグエレメント２を図５に示す切断線Ｃ−Ｃに沿う概略断面図で示す。それ故、オーバーラップゾーン１５も長さ方向Ｘに沿って延在することが明らかとなっている。それ故、オーバーラップゾーン１５は、周囲にわたってプラグエレメント２を包み、ここで、キャップ１０は、キャップ保持部１４に配置される。
【００３２】
さらに、図６は、コンダクタ２００が、１つのコンダクタレセプタクル４ａ内に配置される端子（又はターミナル）２０１を含むことを示す。端子２０１は、コンタクトピン（図示せず）のレセプタクルとして形成される。端子２０１は、上記コンダクタレセプタクルを通じてキャップ１０へと延びる電気ライン２０２に接続される。プラグ部位６は、壁部１００に対してプラグエレメント２を密封するために、プラグ方向Ｐにおいて、プラグ部位６から突出するラメラ（lamella）（又はひだ）１８ａを有するシーリング１８を更に備える。
【００３３】
図７は、そのプラグエレメント２および嵌合プラグエレメント３が予備嵌合状態Ｍ’にあるプラグインコネクタ１を示し、この予備嵌合状態Ｍ’において、プラグエレメント２には、嵌合プラグエレメント３が半分まで没入し、これは、壁部１００のスルーホール１０１内に位置する。キャップ１０は、フィットした位置Ｒにある。ブロッキング部材２０は、予備ブロッキング位置Ａにあり、ここで、これは、キャップ１０のそのフィットした位置Ｒにおいて、キャップ１０をまだブロックしてはいない。ロッキングデバイス３０は、予備ロッキング位置Ｋにあり、ここで、ロッキングデバイス３０は、プラグインコネクタ１をまだロックしてはいない。
【００３４】
図８において、プラグインコネクタ１を図６に示す切断線Ｅ−Ｅに沿う概略断面図で示す。ここで、プラグインコネクタ１は、図７に示すのと同じ状態である。すなわち、プラグエレメント２および嵌合プラグエレメント３は、予備嵌合状態Ｍ’にある。キャップ１０は、フィットした位置Ｒにある。ブロッキング部材２０は、予備ブロッキング位置Ａにある。ロッキングデバイス３０は、予備ロッキング位置Ｋにある。スタッド２３およびブロッキング部材２０は、スロット付リンク３１の下方の端部３１ａに配置されている。この下方の端部３１ａは、スロット付リンク３１の上方の端部３１ｂに対向して配置されている。
【００３５】
プラグエレメント２、特にロッキングデバイス３０のロッキングエレメント４０は、嵌合プラグエレメント３に形成されるカウンターロッキングエレメント４１と係合する。ロッキングエレメント４０は、それぞれプラグ方向Ｐに開いた開口４０ａを有するスロット付リンクとして形成される。各ロッキングエレメント４０のガイダンス４０ｂは、開口４０ａとつながり、そして長さ方向Ｘに対して傾斜した様式で高さ方向Ｚに延在し、ロッキングデバイス３０をロッキング方向Ｊに押す場合、嵌合プラグエレメント３に対してプラグエレメント２を引っ張る差し込み力ＦＰを発生する。ガイダンス４０ｂは、ロッキングゾーン４０ｃへと導き、ここで、このガイダンスは、長さ方向Ｘに対して平行に広がり、すなわちプラグ方向Ｐおよび嵌合プラグ方向Ｐ’に対して垂直方向に広がる。ガイダンス４０ｂの端部において、ロッキングゾーン４０ｃは、カウンターロッキングエレメント４１に対するリミットストップ４０ｄを備える。
【００３６】
さらに、プラグ部位６はベース５０を備え、このベース５０は、シーリングエレメント１８を保持し、長さ方向Ｘおよび幅方向Ｙに対して本質的に平行に延びる。嵌合プラグ部位７に形成される嵌合ベース５１は、長さ方向Ｘおよび幅方向Ｙに沿って本質的に延び、下側から壁部１００に配置される。壁部１００に嵌合ベース５１を保持するために、ホールディングエレメント５３をデテント（又はつめ）の形態で壁部１００の後ろ側に留める（又はスナップ結合する）。それ故、ホールディングエレメント５３は、壁部１００の上側にあり、嵌合ベース５１は壁部１００の下側にあり、それによって、嵌合プラグエレメント３は、壁部１００のスルーホール１０１にしっかりと保持される。
【００３７】
図９は、予備嵌合状態Ｍ’のプラグインコネクタ１の別の概略斜視図を示す。ここで、ブロッキング部材２０は、ブロッキング部材２０の作動方向Ｗに沿って、予備ブロッキング位置Ａからブロッキング位置（まだ図示せず）へと移動されようとしている。それと同時に、ロッキングデバイスは、半ロッキング位置Ｋ’に残存するが、ロッキング方向Ｊにスライドすることによって、予備ロッキング位置Ｋからロッキング位置（まだ図示せず）へと移動される。
【００３８】
図１０は、完全嵌合状態Ｎでのプラグインコネクタ１の概略斜視図である。ブロッキング部材２０は、作動方向Ｗに沿って、そのブロッキング位置Ｂへと移動される。ブロッキング部材２０の係合エレメント２４は、カウンター係合エレメント２５と係合する。すなわち、デテント２４は、プラグ方向Ｐにおいて、開口２５の後側で留められる（スナップ結合される）。キャップ１０は、ブロッキング部材２０によって保持され、そうすることで、フィッティング方向Ｉに対するキャップ１０のあらゆる運動が抑制されるようになる。ロッキングデバイス３０は、ロッキング方向Ｊに沿って、そのロッキング位置Ｌへと移動される。ロッキング位置Ｌにおいて、ロッキングデバイス３０は、完全嵌合状態Ｎにおいて、プラグエレメント２および嵌合プラグエレメント３をロックする。さらに、嵌合コンダクタ収容部５は、嵌合コンダクタ３００を備える。
【００３９】
図１１は、完全嵌合状態Ｎでのプラグインコネクタ１の図６に示す切断線Ｅ−Ｅに沿う概略断面図である。この断面は、ロッキングデバイス３０のガイドレール３２を通して、長さ方向Ｘおよび高さ方向Ｚに平行して広がる平面から本質的に成る。
【００４０】
ブロッキング部材２０の天井部によって規定される上方向のブロッキングゾーン２０ａは、キャップ１０の上方の縁部１０ａに少なくとも隣接または近接して接するか、または横たわり、それによって、フィットした位置Ｒにおいて、キャップ１０をブロックする。カウンターロッキングエレメント４１は、その各ガイダンス４０ｂに沿って移動されていて、ここで、その各ロッキングゾーン４０ｃに配置される。それ故、プラグエレメント２および嵌合プラグエレメント３は、完全嵌合状態Ｎでロックされる。このロッキングデバイス３０をロッキング位置Ｌにて拘束し続けるために、ロッキングデバイス３０に形成される係合部材３４は、ガイダンス３３のカウンター係合部材（図示せず）の後側で留められ（スナップ結合され）、そうすることで、ロッキング方向Ｊに対するロッキングデバイスの運動が、その各ガイダンス４０ｂに沿って移動されることによってブロックされる。カウンターロッキングエレメント４１は、プラグエレメント２、特にロッキングデバイス３０をプラグ方向Ｐに引っ張る。このとき、ガイドレール３２は、プラグ方向Ｐおよびその反対方向において、その各ガイダンス３３において固定される。
【００４１】
ロッキング方向Ｊにロッキングデバイス３０を動かすことによって、ブロッキング部材２０の作動方向Ｗに沿って、スタッド２３がスロット付リンク３１の下方の端部３１ａからスロット付リンク３１の上方の端部３１ｂまでを移動することが促進され、このとき、スロット付リンク３１の側壁によって支持される作動表面３１ｃを押し、高さ方向Ｚ、プラグ方向Ｐおよび嵌合プラグ方向Ｐ’に対して本質的に平行して進む。さらに、この完全嵌合状態Ｎにおいて、シーリングエレメント１８は、ベース５０と壁部１００の上側の面との間で押圧され、そうすることで、これによりプラグインコネクタ１が密封されるようになる。
【００４２】
図１２ａは、完全嵌合状態Ｎのプラグインコネクタ１の図５に示す切断線Ｃ−Ｃに沿う概略断面図である。ここでは、ブロッキング部材２０は、横方向のブロッキングゾーン２０ｂを提供し、これは、キャップ１０の横方向の縁部１０ｂに隣接または近接して接するか、または少なくとも横たわることが明らかとなっている。それ故、横方向の運動、すなわちキャップ１０の幅方向Ｙに平行する運動が抑制される。
【００４３】
さらに、プラグエレメント２のプラグ８は、嵌合プラグエレメント３のレセプタクル９内に位置する。プラグエレメント２の端子２０１は、嵌合プラグエレメント３の嵌合コンダクタ収容部５ａに位置する嵌合端子３０１と係合する。嵌合端子３０１は、嵌合コンダクタ３００の嵌合電気ライン３０２に接続される。
【００４４】
図１２ｂは、図１２ａに示すＶＩの詳細を示す。ここでは、キャップ１０の横方向の縁部１０ｂと、ブロッキング部材２０の横方向のブロッキングゾーン２０ｂとの間の幅方向Ｙに平行して測定される距離ｄは、外側のノッチ１７ｂの深さｄ１７よりも小さいことが明らかとなっている。それ故、キャップ１０がフィッティング方向Ｉに対して引っ張られる場合、キャップ１０の内側のリム１６ａは、コンダクタ収容部４の外側のリム１７ａからは抜け落ちることができない。キャップ１０の横方向の運動ＳＬが抑制される。
【００４５】
図１３ａは、完全嵌合状態Ｎにあるプラグインコネクタ１の図６に示す切断線Ｄ−Ｄに沿う概略断面図である。このブロッキング位置Ｂにおいて、ブロッキング部材２０は、カムまたはリムの形態の前方向（フロント）のブロッキングゾーン２０ｃを提供し、これは、キャップ１０の前方向（フロント）の縁部１０ｃに少なくとも隣接または近接して接するか、または横たわるものである。それ故、キャップ１０、特にコンダクタガイド部１２が長さ方向Ｘに平行する引張り方向Ｕに引っ張られる場合、内側のリム１６ａは、外側のリム１７ａから、ノッチ１７ｂの外側に抜け落ちることができない。
【００４６】
図１３ｂは、図１３ａに示すＶＩＩの詳細を示す。ここでは、オーバーラップゾーン１５において、キャップの前方向の縁部１０ｃと、前方向のブロッキングゾーン２０ｃとの間で測定した距離ｄは、ここでも深さｄ１７よりも小さいことが明らかとなっている。それ故、キャップ１０の前方向への運動ＳＳは抑制され、このキャップは、そのフィットした位置Ｒにおいて、ブロックされる。
【００４７】
図１４ａは、キャップ１０がそのフィットした位置Ｒでの完全嵌合状態Ｎでのプラグインコネクタ１の概略斜視図である。この図は、オーバーラップゾーン１５の後方部の部分断面である。
【００４８】
図１４ｂは、断面の領域で見ることができるように、図１４ａに示すＶＩＩＩの詳細を示す。キャップ１０の後ろ方向（リア）の縁部１０ｄが、オーバーラップゾーン１５および／または追加のリム１６ａ’において形成されてもよい。完全嵌合状態Ｎにおいて、ブロッキング部材２０に形成される後ろ方向（リア）のブロッキングゾーン２０ｄは、引張り方向Ｕに対して本質的に平行である後ろ方向の運動ＳＲに沿って、突起部において、後ろ方向の縁部１０ｄと重なってもよい。それ故、後ろ方向の端部１０ｄは、後ろ方向のブロッキングゾーン２０ｄに近接して接するか少なくとも横たわり、そうすることで、後ろ方向の運動ＳＲが抑制または少なくとも制限され、キャップ１０がフィットした位置Ｒにおいてブロックされるようになる。
【００４９】
本発明の上述の実施形態からの逸脱が、本発明の思想から逸脱することなく可能である。プラグインコネクタ１は、任意の所望の数の嵌合可能なプラグエレメント２および嵌合プラグエレメント３を含んでいてもよく、これらは、所望の数のコンダクタ収容部４、コンダクタレセプタクル４ａ、嵌合コンダクタ収容部５、嵌合コンダクタレセプタクル５ａ、プラグ部位６、嵌合プラグ部位７、プラグ８、レセプタクル９、およびキャップ１０を備えていてもよい。
【００５０】
キャップ１０は、所望に応じて、上方向、横方向および前方向の縁部１０ａ〜ｄ、フィッティング部位１１、コンダクタガイド部１２、および開口１３を提供し得るように形成されてもよい。フィッティング部位１１は、ここで示されるようにコンダクタガイド部１２に対して角度、好ましくは９０°の角度を設けてもよい。しかし、他の角度、例えば本質的には４５°または１８０°も可能である。しかし、キャップ１０の開口１３は、プラグエレメント２やキャップ保持部１４に嵌めるために、望み通りに形成されてもよい。それ故、オーバーラップゾーン１５は、キャップ１０をプラグエレメント２と係合させて、コンダクタ収容部４を保護および密封（又はシール）するために、所望に応じて、内側の輪郭（又はコンタ）、リム、ノッチ１６、１６ａ、１６ａ’、１６ｂならびに外側の輪郭（又はコンタ）、リム、ノッチ１７、１７ａ、１７ｂを備えていてよい。壁部１００に対してプラグエレメント２を密封（又はシール）するために、ラメラ（又はひだ）１８ａとともに、任意の所望の数および形状のシーリングエレメントが提供されてもよい。
【００５１】
しかし、ブロッキング部材２０は、所望のように形成されて、上方向、横方向、前方向および後ろ方向のブロッキングゾーン２０ａ〜ｄを提供してもよく、ならびにカバー２１およびレバー２２を提供してもよい。ブロッキング部材２０は、スタッド２３およびピボットジョイント２６を介してロッキングデバイス３０と接続され得るか、あるいは、プラグエレメント２のハウジングに直接的に接続され得るが、ここで、このハウジングは、少なくとも１つのコンダクタ収容部４およびプラグ部位６を含んでいてもよい。ピボットジョイント２６は、ブロッキング部材２０の回転を可能とするために、所望のあらゆる形態のピン２６ａおよびソケット２６ｂを含んでいてもよい。しかし、ブロッキング部材２０を回転させることは必須ではない。あるいは、また、ブロッキング部材２０は、予備ブロッキング位置Ａからブロッキング位置Ｂへと直動運動で移動され得るように設計されてもよい。ブロッキング部材２０をブロッキング位置Ｂでロックするために、ブロッキング部材２０は、あらゆる所望の形状および数で、カウンター係合エレメント２５と係合するように適合された係合エレメント（ラッチングエレメント）２４を備えていてもよい。
【００５２】
ロッキングデバイス３０は、ブロッキング部材２０をガイド（又は誘導）するために、あらゆる所望の形態および形状で、下方および上方の端部３１ａ、３１ｂならびに作動表面３１ｃを有するスロット付リンク３１を備えていてもよい。しかし、また、スロット付リンク３１は、プラグエレメント２のハウジングに形成されてもよい。さらに、予備ロッキング位置Ｋからロッキング位置Ｌへとロッキングデバイス３０をスライドさせることは必須ではない。あるいは、また、例えば、ロッキングデバイス３０を回転させてもよい。ロッキング位置Ｌにおいてロッキングデバイス３０を固定するために、ロッキングデバイス３０は、所望のあらゆる形態または数の係合部材３４を備えていてもよい。
【００５３】
ロッキングエレメント４０および各カウンターロッキングエレメント４１は、望み通りに形成されて、ロッキング位置Ｌにおいてプラグインコネクタ１をロックしてもよく、および／またはプラグ方向Ｐならびに嵌合プラグ方向Ｐ’において、またはこれらに対して差し込み力を発生させてもよい。本明細書中に記載の開口４０ａ、ガイダンス４０ｂ、ロッキングゾーン４０ｃおよびリミットストップ４０ｄとともにロッキングエレメント４０によって提供されるスロット付レバーまたはスロット付リンクメカニズムの代わりに、ロッキングエレメント４０およびカウンターロッキングエレメント４１は、例えば、完全嵌合状態Ｎへとプラグインコネクタ１を引っ張り、そして、それをそこでロックし得る相互作用するギアとして形成されてもよい。しかし、ロッキングデバイス３０は、リミットストップ４０ｄを備えていて、係合部材３４とリミットストップ４０ｄとの間でブロックされているロッキング位置Ｌにおいて、拘束されることが望ましい。
【００５４】
しかし、最終的には、ベース５０、嵌合ベース５１および保持エレメント５３は、壁部１００のスルーホール１０１内でプラグエレメント２および／または嵌合プラグエレメント３を保持するために、あるいは、その代わりに、プラグエレメント２と嵌合プラグエレメント３とが、その間に壁部１００が存在することなく、密接に接するようにさせるために、望み通りに形成され得る。
本明細書の開示内容は、以下の態様を含み得る。
（態様１）
電気プラグインコネクタ（１）のための電気プラグエレメント（２）であって、少なくとも１つの電気コンダクタ（２００）を受容するように適合されたコンダクタ収容部（４）と、フィットした位置（Ｒ）において前記コンダクタ収容部（４）および／または前記コンダクタ（２００）を少なくとも部分的に覆うキャップ（１０）とを含み、ブロッキング位置（Ｂ）において前記キャップ（１０）をそのフィットした位置（Ｒ）でブロックするブロッキング部材（２０）を備えることを特徴とする電気プラグエレメント（２）。
（態様２）
前記キャップ（１０）は、フィッティング方向（Ｉ）において、前記コンダクタ収容部（４）とフィットし、そのフィットした位置（Ｒ）では、前記キャップ（１０）が、オーバーラップゾーン（１５）において、前記フィッティング方向（Ｉ）に対する突出部で前記コンダクタ収容部（４）と重なり、前記ブロッキング位置（Ｂ）においては、前記ブロッキング部材（２０）によって、前記フィッティング方向（Ｉ）に対する垂直方向の前記キャップ（１０）の運動が抑制されることを特徴とする態様１に記載の電気プラグエレメント（２）。
（態様３）
前記キャップ（１０）および前記コンダクタ収容部（４）が、そのフィットした位置（Ｒ）において、互いに係合することを特徴とする態様１または２に記載の電気プラグエレメント（２）。
（態様４）
前記オーバーラップゾーン（１５）は、前記コンダクタ収容部（４）の外側の周囲（１７）に沿って延在し、および／または前記キャップ（１０）の開口（１３）の内側の周囲（１６）に沿って延在することを特徴とする態様２または３に記載の電気プラグエレメント（２）。
（態様５）
前記プラグエレメント（２）が前記電気プラグインコネクタ（１）の嵌合プラグエレメント（３）と完全に嵌合している完全嵌合状態（Ｎ）において、前記ブロッキング部材（２０）が、前記プラグエレメント（２）をロックするために、前記プラグエレメント（２）のロッキングデバイス（３０）に接続されていることを特徴とする態様１〜４のいずれか１項に記載の電気プラグエレメント（２）。
（態様６）
前記ロッキングデバイス（３０）が予備ロッキング位置（Ｋ）にある予備ブロッキング位置（Ａ）から、前記ロッキングデバイス（３０）がロッキング位置（Ｌ）にある前記ブロッキング位置（Ｂ）まで、前記ブロッキング部材（２０）が移動可能であることを特徴とする態様５に記載の電気プラグエレメント（２）。
（態様７）
前記ブロッキング部材（２０）および／または前記ロッキングデバイス（３０）を動かして差し込み力（Ｆｐ）を発生させるために、前記プラグインコネクタ（１）の予備嵌合状態（Ｍ’）において、前記ロッキングデバイス（３０）を前記プラグエレメント（２）および前記嵌合プラグエレメント（３）の両方と係合するように適合させることを特徴とする態様５または６に記載の電気プラグエレメント（２）。
（態様８）
前記プラグエレメント（２）が、前記プラグエレメント（２）のプラグイン方向（Ｐ）に対して本質的に垂直方向に前記ロッキングデバイス（３０）をスライドさせてガイドするために、前記ロッキングデバイス（３０）のためのガイダンス（３３）を備えることを特徴とする態様５〜７のいずれか１項に記載の電気プラグエレメント（２）。
（態様９）
前記ブロッキング部材（２０）が前記プラグエレメント（２）に対して回転可能に取り付けられていることを特徴とする態様１〜８のいずれか１項に記載の電気プラグエレメント（２）。
（態様１０）
前記ブロッキング部材（２０）がスロット付リンク（３１）を介して前記プラグエレメント（２）に取り付けられていることを特徴とする態様１〜９のいずれか１項に記載の電気プラグエレメント（２）。
（態様１１）
前記ブロッキング部材（２０）が前記プラグインコネクタ（１）を閉めるための作動レバーを成すことを特徴とする態様１〜１０のいずれか１項に記載の電気プラグエレメント（２）。
（態様１２）
前記ブロッキング部材（２０）が、前記ブロッキング位置（Ｂ）において、前記プラグエレメント（２）のカウンター係合エレメント（２５）と係合するように適合された係合エレメント（２４）を備えることを特徴とする態様１〜１１のいずれか１項に記載の電気プラグエレメント（２）。
（態様１３）
前記ブロッキング位置（Ｂ）において前記キャップ（１０）を少なくとも部分的に覆うカバー（２１）として前記ブロッキング部材（２０）が形成されていることを特徴とする態様１〜１２のいずれか１項に記載の電気プラグエレメント（２）。
（態様１４）
前記キャップ（１０）が前記コンダクタ収容部（４）よりも高い弾力性を有することを特徴とする態様１〜１３のいずれか１項に記載の電気プラグエレメント（２）。
（態様１５）
前記キャップ（１０）がフィッティング部位（１１）とコンダクタガイド部（１２）とを有し、前記フィッティング部位（１１）および前記コンダクタガイド部（１２）が互いに角度を成していることを特徴とする態様１〜１４のいずれか１項に記載の電気プラグエレメント（２）。
【図１】
0005878563.tif 000002
【図２】
0005878563.tif 000003
【図３】
0005878563.tif 000004
【図４】
0005878563.tif 000005
【図５】
0005878563.tif 000006
【図６】
0005878563.tif 000007
【図７】
0005878563.tif 000008
【図８】
0005878563.tif 000009
【図９】
0005878563.tif 000010
【図１０】
0005878563.tif 000011
【図１１】
0005878563.tif 000012
【図１２ａ】
0005878563.tif 000013
【図１２ｂ】
0005878563.tif 000014
【図１３ａ】
0005878563.tif 000015
【図１３ｂ】
0005878563.tif 000016
【図１４ａ】
0005878563.tif 000017
【図１４ｂ】
0005878563.tif 000018